(57)【要約】【課題】使用時には燃料容器を載置して燃料補給作業を容易に行いながらも、非使用時には、走行時の振動等で機体外方に不用意に倒れるような不都合を発生させず、かつ機体外方から視認できないように構成した移動農機を提供する。【解決手段】開閉カバー１３の裏面１３ａに、該カバー１３を開放したときに燃料容器３０を載置し得る状態となるように燃料容器載置台１９を支持している。このため、使用時には、カバー開放状態で燃料容器載置台１９に燃料容器３０を載置して燃料補給作業を容易に行うことができ、非使用時には、振動等で燃料容器載置台１９が外部に不用意に倒れるような不都合の発生を確実に防止できる。開閉カバー１３を閉じると、燃料容器載置台１９を機体外方から視認できず、コンバイン１の外観が向上する。【選択図】図４
2007186049.tif 000002
【特許請求の範囲】
【請求項１】
走行機体に、エンジンと、該エンジンの駆動用燃料を貯留する燃料タンクと、を備える移動農機において、
前記走行機体に、前記燃料タンクに燃料を補給するための給油口と、該給油口に対して開閉するように支持された開閉カバーと、を備え、
前記開閉カバーの裏面に、該開閉カバーを開放したときに燃料容器を載置し得る状態となるように燃料容器載置台を支持してなる、
ことを特徴とする移動農機。
【請求項２】
前記燃料容器載置台は、前記燃料容器を載置して燃料補給する補給位置と収納する収納位置とに切り換え自在に設けられ、前記補給位置から前記収納位置に向けて跳ね上げた状態で収納し得るように下端部を軸支されてなる、
請求項１記載の移動農機。
【請求項３】
前記走行機体にグレンタンクを備え、
前記開閉カバーは、前記グレンタンクの後方にて排出オーガの縦螺旋を覆うカバーである、
請求項１又は２記載の移動農機。
【発明の詳細な説明】
【技術分野】
【０００１】
本発明は、コンバイン等の移動農機に係り、詳しくはエンジン駆動用の燃料を貯留する燃料タンクに燃料を補給する燃料補給構造に関する。
【背景技術】
【０００２】
一般に、移動農機、例えばコンバインは、走行機体に、クローラ走行装置を駆動するためのエンジンと、該エンジンを駆動する燃料を貯留する燃料タンクと、を備え、該燃料タンクへの給油構造として種々の形態を備えたものが存在している。その一例として、走行機体（以下、単に「機体」ともいう）の前部に刈取部を備え、機体後方に脱穀機及びグレンタンクを備え、機体に搭載されたエンジンの駆動用燃料を貯留する燃料タンクへの給油口を、脱穀機の排稈処理装置とグレンタンクとの間の空間部に備え、燃料容器を載置可能なタンク載台を、給油口の下方で機体後方に突出する燃料供給作業姿勢（以下、単に「作業姿勢」ともいう）と、上方に向けて回動退避する格納姿勢とに切換え固定可能に備えた構造のコンバインが知られている（例えば、特許文献１参照）。
【０００３】
上記特許文献１に記載のコンバインでは、燃焼供給作業を行う場合、コンバイン作業時に上方に上げた格納姿勢にあるタンク載台を、取付片と係止片との係合を外して支軸を支点として機体後側に回動させて姿勢を切り換え、これにより機体後方に突出した作業姿勢のタンク載台上に燃料容器を載置する。つまり、燃料供給作業時には、作業姿勢に切り換えたタンク載台上に燃料容器を載置することで、該燃料容器を給油口に容易に接近できる構造が得られるため、機体の大型化に伴い給油口の高さが高くなっても、燃料容器からの燃料補給作業を楽に行うことができる。
【０００４】
【特許文献１】特開平１１−２４３７５３号公報
【発明の開示】
【発明が解決しようとする課題】
【０００５】
しかし、上記特許文献１記載のコンバインでは、タンク載台がその基部を機体後端に設けた支軸を支点として機体前後方向に回動自在にされ、機体後方に突出する作業姿勢と機体側に接する格納姿勢とに切り換え可能にされて機体外方に露出しているため、格納姿勢に切り換えて走行する場合等、振動等によりタンク載台が不用意に倒れて作業姿勢になるようなことも考えられる。また、タンク載台は常に露出した状態となっていることから、外観を損なう虞もあった。
【０００６】
そこで本発明は、使用時には燃料容器を載置して燃料補給作業を容易に行い得るものでありながら、非使用時には、走行時の振動等で機体外方に不用意に倒れるような不都合の発生を確実に防止し、かつ機体外方から視認できないように構成し、もって上記課題を解決した移動農機を提供することを目的とするものである。
【課題を解決するための手段】
【０００７】
請求項１に係る本発明は（例えば図１ないし図５参照）、走行機体（３）に、エンジン（３２）と、該エンジン（３２）の駆動用燃料を貯留する燃料タンク（２２）と、を備える移動農機（１）において、
前記走行機体（３）に、前記燃料タンク（２２）に燃料を補給するための給油口（１６）と、該給油口（１６）に対して開閉するように支持された開閉カバー（１３）と、を備え、
前記開閉カバー（１３）の裏面（１３ａ）に、該開閉カバー（１３）を開放したときに燃料容器（３０）を載置し得る状態となるように燃料容器載置台（１９）を支持してなる、
ことを特徴とする移動農機（１）にある。
【０００８】
請求項２に係る本発明は（例えば図４及び図５参照）、前記燃料容器載置台（１９）が、前記燃料容器（３０）を載置して燃料補給する補給位置（図４の実線位置）と収納する収納位置（図４の二点鎖線位置）とに切り換え自在に設けられ、前記補給位置から前記収納位置に向けて跳ね上げた状態で収納し得るように下端部（１９ａ）を軸支されてなる、
請求項１記載の移動農機（１）にある。
【０００９】
請求項３に係る本発明は（例えば図２ないし図５参照）、前記走行機体（３）にグレンタンク（９）を備え、
前記開閉カバー（１３）は、前記グレンタンク（９）の後方にて排出オーガ（８）の縦螺旋（８ａ）を覆うカバーである、
請求項１又は２記載の移動農機（１）にある。
【００１０】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１１】
請求項１に係る本発明によると、走行機体に備えた開閉カバーの裏面に、該開閉カバーを開放したときに燃料容器を載置し得る状態となるように燃料容器載置台を支持したので、燃料補給時には、開閉カバーを開放した状態で燃料容器載置台に燃料容器を載置して、燃料の補給作業を容易に行い得るものでありながら、刈取り作業を行う際や単に走行する際等の非使用時には、開閉カバーを閉じることで、振動等で燃料容器載置台が外部に不用意に倒れるような不都合の発生を確実に防止することができる。また、開閉カバーを閉じた状態では、燃料容器載置台を機体外方から視認できない状態にできるので、移動農機の外観を向上することができる。
【００１２】
請求項２に係る本発明によると、燃料容器載置台が、燃料容器を載置して燃料補給する補給位置と収納する収納位置とに切り換え自在に設けられ、補給位置から収納位置に向けて跳ね上げた状態で収納し得るように下端部を軸支されるので、簡単な構成からなるものでありながら、燃料補給しない非使用時には、開閉カバー側に跳ね上げて容易に収納することができる。
【００１３】
請求項３に係る本発明によると、開閉カバーが、グレンタンクの後方にて排出オーガの縦螺旋を覆うカバーであるので、開閉カバーを特別に設けることなく、備え付けのカバーを利用して燃料容器載置台を簡便に配置することができる。
【発明を実施するための最良の形態】
【００１４】
以下、図面に沿って、本発明に係る移動農機を適用したコンバインの実施の形態について説明する。なお、図１は本実施形態におけるコンバインの全体構成を示す斜視図、図２は該コンバインの側面図、図３は該コンバインの平面図、図４は該コンバイン後部の開閉カバーを開放した状態で示す斜視図、図５は図４の状態にて燃料容器載置台を補給位置にして燃料容器を載置した状態を示す斜視図である。
【００１５】
まず、図１ないし図３に沿って、本実施形態におけるコンバインの全体構成について説明する。
【００１６】
すなわち、コンバイン１は、圃場や路上を走行するための左右一対のクローラ走行装置２，２と、該クローラ走行装置２，２に支持された機体フレーム（走行機体）３と、を備え、該機体フレーム３の前部には、稲を刈取るための刈取部４が昇降自在に架設されており、その後方一側には、刈取り後の稲を導いて脱穀処理する脱穀部５が搭載されている。また、脱穀部５の他側には、コンバイン１を操作するレバー類が配置された操作部７を挟んで運転席６が配設されると共に、その後方には、グレンタンク（穀粒タンク）９が搭載されている。該グレンタンク９の後方には、該グレンタンク９から穀粒を外部へ搬出する排出オーガ８の縦螺旋８ａが配置されている。更に、コンバイン１の最後尾には排藁処理装置１０が配設されており、該排藁処理装置１０により、脱穀後の排藁が細断或いは長藁のまま機外に排出される。
【００１７】
また、図２に示すように、運転席６の下部にはコンバイン１の動力源となるエンジン３２が搭載されており、該エンジン３２の動力は、脱穀部５、刈取部４、クローラ走行装置２，２に伝達される。係るエンジン３２や動力伝達装置は、回転機械部分を多く含み、部品によっては高速に回転している部位を有していることから、これら回転部品は、操作パネル１１（図３参照）等によって覆われている。なお、図２及び図３における符号１２は、パネル１１ａの裏面にあるフレーム３５に設けられた電飾部品（図示せず）を主に覆っているカバーである。
【００１８】
圃場作業にあるコンバイン１では、運転者は運転席６の右側方にある昇降口から乗り込み、操作部７に配置された各種のスイッチやレバー類を操作して作業を進行させる。また運転席６の前方には、図３に示すように、中央にメータパネル３６が埋め込まれた上記パネル１１ａが配置されている。
【００１９】
操作部７には、運転席６の前側から、傾動角に応じた前進又は後進変速速度を得るための主変速レバー２３、走行トランスミッション（図示せず）内に設けた副変速装置（図示せず）を操作するための副変速レバー２４、及び、作業機（脱穀部５、排藁処理装置１０）と刈取部４への動力継断を行うための作業機・刈取機クラッチレバー２６等が配置されている。パネル１１ａ上の右側には、クローラ走行装置２，２の駆動を制御するための操舵レバー２５が配置されている。操舵レバー２５は、左右の傾倒操作によりコンバイン１を操舵すると共に、前後の傾倒操作により刈取部４を昇降する。また、運転席６の前部下方には、コンバイン１を制動するための走行クラッチペダル２７が配置されている。この走行クラッチペダル２７は、ペダルストロークの前半ではエンジン３２と走行ＨＳＴ（図示せず）の伝動部に設けた主クラッチを切断し、ストロークエンドで走行トランスミッション内の駐車ブレーキを制動する機能を有する。基本的にコンバイン１は、主変速レバー２３が中立位置に操作されると機体が停止し、走行クラッチペダル２７は、基本的に副変速の操作時、又は駐車ブレーキを必要とする時に操作される。
【００２０】
また、脱穀機５とグレンタンク９との間の空間部には、エンジン３２の駆動用燃料を貯留する燃料タンク２２が配設されており、該燃料タンク２２には、該タンク２２に燃料を補給するための給油口１６が給油パイプ３４を介して連通している。そして、図１ないし図３に示すように、機体フレーム３に備えたグレンタンク９の後方には、排出オーガ８の縦螺旋８ａを覆う開閉カバー１３が開閉自在に配設されている。
【００２１】
図４に示すように、給油口１６に対して開閉するように支持される開閉カバー１３は、グレンタンク９の背面にヒンジ１８，１８を介して開閉自在に取り付けられている。該開閉カバー１３にて開閉される機体後方の空間３３内には、上記排出オーガ８の縦螺旋８ａと、該縦螺旋８ａの開閉カバー１３側に立設される給油口１６とが配設されている。なお、符号１７は給油口１６を閉塞するキャップを示し、符号２１は排藁処理装置１０のカッター部を示している。
【００２２】
そして、開閉カバー１３の裏面１３ａには、図４及び図５に示すように、開閉カバー１３を開放したときに燃料容器３０を載置し得る状態となるように燃料容器載置台１９が支持されている。この燃料容器載置台１９は、開閉カバー１３の裏面１３ａに、図４矢印Ａ方向に回動し得るように支持されており、２０リットル程度の燃料収容可能な燃料容器３０を載置して燃料補給する補給位置（図４の実線位置）と、収納する収納位置（図４の二点鎖線位置）とに切り換え自在に設けられる。即ち、燃料容器載置台１９は、上記補給位置から上記収納位置に向けて跳ね上げた状態で収納し得るように、一端部１９ａが開閉カバー１３の裏面１３ａに回動支持部３１によって軸支されている。
【００２３】
燃料容器載置台１９は、充分な強度を有する略々矩形状の金属製載置台からなり、図４及び図５に示す実線の補給位置にあっては、回動支持部３１で支持された一端部１９ａ近傍が、回動支持部３１直下にて開閉カバー１３の裏面１３ａから張り出す支持部２０により支持され、これにより、重量のある燃料容器３０を堅固に支え得るように構成される。また、燃料容器載置台１９の他端部の一側には、該載置台１９から突出する突起部２８が設けられており、開閉カバー１３の裏面１３ａにおける突起部２８に対応する位置には、該突起部２８を係止して収納位置の燃料容器載置台１９を裏面１３ａに固定するための係止具２９（クランプ）が設けられている。なお、図５中の符号３０ａは、燃料容器３０の給油開口を示している。
【００２４】
ついで、本実施の形態におけるコンバイン１による作用を説明する。
【００２５】
すなわち、穀稈が植立した圃場にて本コンバイン１を用いて刈取り作業を行う場合、コンバイン１は、刈取部４を刈取作業位置に保持した状態で、エンジン３２の動力に基づきクローラ走行装置２，２を駆動して適宜の速度で走行し、穀稈を引起こしつつ、刈取り刃（図示せず）にて穀稈を刈取る。すると、刈取られた穀稈は、エンジン３２の動力に基づき作動する脱穀部５のフィードチェン（図示せず）に引継がれ、該脱穀部５内で脱穀・選別された後、選別穀粒がグレンタンク９に移送されて一旦貯蔵される。
【００２６】
そして、作業終了後、或いは作業中に一旦停止し、燃料補給を行う場合には、以下のように作業が進められる。まず、オペレータが、閉止している開閉カバー１３を開放し、突起部２８が係止具２９で係止されて収納位置（図４の二点鎖線位置）に保持されている燃料容器載置台１９を、係止具２９から突起部２８を外して矢印Ａ方向に倒す。これにより、燃料容器載置台１９は、一端部１９ａが支持部２０で支持されるまで回動支持部３１を中心に回動し、支持部２０で支持された時点で補給位置（図４の実線位置）となり、該位置に堅固に保持される。
【００２７】
この状態において、オペレータは、図５に示すように、燃料容器載置台１９上に燃料容器３０を載置すると共に給油口１６のキャップ１７を外し、不図示の給油具を用いて、燃料容器３０の給油開口３０ａから給油口１６に燃料を送り込み、燃料補給作業を実施する。
【００２８】
そして、燃料補給が終了した時点で、オペレータは、燃料容器載置台１９を矢印Ａ方向に回動させて跳ね上げ、突起部２８を係止具２９に係止して、該載置台１９を開閉カバー１３の裏面１３ａに接触した収納位置（図４の二点鎖線位置）に保持して、開閉カバー１３を機体フレーム３側に閉止する。
【００２９】
以上説明したように本実施の形態では、機体フレーム３に備えた開閉カバー１３の裏面１３ａに、該開閉カバー１３を開放したときに燃料容器３０を載置し得る状態となるように燃料容器載置台１９を支持している。これにより、燃料補給時（使用時）には、開閉カバー１３を開放した状態で燃料容器載置台１９に燃料容器３０を載置して、燃料の補給作業を容易に行い得るものでありながら、刈取り作業を行う際や単に走行する際等の非使用時には、開閉カバー１３を閉じることで、振動等で燃料容器載置台１９が外部に不用意に倒れるような不都合の発生を確実に防止できる。また、開閉カバー１３を閉じた状態では、燃料容器載置台１９と給油口１６を機体外方から視認できない状態にできるので、コンバイン１の外観を向上することができる。
【００３０】
また本実施の形態では、燃料容器載置台１９が、燃料容器３０を載置して燃料補給する補給位置（図４の実線位置）と収納する収納位置（図４の二点鎖線位置）とに切り換え自在に設けられ、補給位置から収納位置に向けて跳ね上げた状態で収納し得るように一端部１９ａが軸支されている。このため、簡単な構成からなるものでありながら、燃料補給しない非使用時には、開閉カバー１３側に跳ね上げて容易に収納することができる。そして、本発明に係る開閉カバーとして、グレンタンク９の後方にて排出オーガ８の縦螺旋８ａを覆う開閉カバー１３を活用したので、開閉カバーを特別に設けることなく、備え付けのカバーを利用して燃料容器載置台１９を簡便に配置することができる。
【図面の簡単な説明】
【００３１】
【図１】本実施形態におけるコンバインの全体構成を示す斜視図である。
【図２】本実施形態におけるコンバインの側面図である。
【図３】本実施形態におけるコンバインの平面図である。
【図４】本実施形態におけるコンバイン後部の開閉カバーを開放した状態で示す斜視図である。
【図５】燃料容器載置台を補給位置にして燃料容器を載置した状態を示す斜視図である。
【符号の説明】
【００３２】
１  移動農機（コンバイン）
３    走行機体（機体フレーム）
８    排出オーガ
８ａ    縦螺旋
９    グレンタンク
１３    開閉カバー
１６    給油口
１９    燃料容器載置台
１９ａ    下端部
２２    燃料タンク
３０    燃料容器
３２    エンジン
【図１】
2007186049.tif 000003
【図２】
2007186049.tif 000004
【図３】
2007186049.tif 000005
【図４】
2007186049.tif 000006
【図５】
2007186049.tif 000007